(57)【要約】【課題】  内向側あるいは外向側に傾いて歩く足つきを効果的に改善することができる履物の靴底を提供する。【解決手段】  本発明は正しい歩行が可能となるようにする履物の靴底に係わる技術であって、アウトソール；傾いたスロープ部の下端に連結される第１延長片と前記スロープ部の上端に連結される第２延長片が備えられ、前記アウトソールの上面の内向側または外向側のいずれか一方の縁部から前記第１延長片が結合されるメインミッドソール；前記スロープ部及び前記第２延長片の底面と前記アウトソールの上面との間に設置される下部ミッドソール；及び前記スロープ部及び前記第１延長片の上面に結合される上部ミッドソール；を含むことを特徴とする。【選択図】  図３
2013529535.tif 000002
【特許請求の範囲】
【請求項１】
履物の靴底において、
アウトソール；
傾いたスロープ部の下端に連結される第１延長片と前記スロープ部の上端に連結される第２延長片が備えられ、前記アウトソールの上面の内向側または外向側のいずれか一方の縁部から前記第１延長片が結合されるメインミッドソール；
前記スロープ部及び前記第２延長片の底面と前記アウトソールの上面との間に設置される下部ミッドソール；及び
前記スロープ部及び前記第１延長片の上面に結合される上部ミッドソール；を含むことを特徴とする、履物の靴底。
【請求項２】
前記メインミッドソールは、その内部に前記メインミッドソール形状のシャンクが備えられることを特徴とする、請求項１に記載の履物の靴底。
【請求項３】
前記メインミッドソールは、前記下部ミッドソール及び上部ミッドソールより硬度が高いものであることを特徴とする、請求項１または２に記載の履物の靴底。
【請求項４】
前記下部ミッドソールと上部ミッドソールは、硬度が互いに異なることを特徴とする、請求項３に記載の履物の靴底。
【請求項５】
前記シャンクは、後足部から中足部まで形成されることを特徴とする、請求項３に記載の履物の靴底。
【発明の詳細な説明】
【技術分野】
【０００１】
本発明は履物の靴底に係わる技術であって、正しい歩行が可能となるようにする技術である。
【背景技術】
【０００２】
直立歩行を行う人間にとって、足はどの部位よりも重要であると言えるが、多くの人々はその重要性を見逃して来た。近年、足の重要性と、正しい歩行が身体全般の健康に大きな影響を及ぼすという事実が知られた。
【０００３】
これにより、履物は徐々に機能化するとともに専門化しており、高価の履物が発売され始めている実情である。
【０００４】
先天的または後天的な影響によってかなり多くの人々は誤った歩行習慣を持っている。例えば、外股に歩く足つきや内向側あるいは外向側に傾いて歩く足つきを持つ人々がいる。
【０００５】
このような誤った足つきは、時間が経つにつれて悪くなるはずで、健康にも悪い影響を及ぼすことが自明である。
【０００６】
関連の従来技術として、特許文献１の技術が提案されたことがある。図１はその斜視図を示す。
【０００７】
同図に示すように、従来技術は、凹部１０１が形成された靴底１００と、前記凹部１０１に結合され、３部分に分割され、互いに異なる硬度を持つ結合部材２００とからなり、前記結合部材２００は長手方向に分割されるという特徴がある。そして、前記結合部材２００は硬度の異なる三つの第１部材２０１、第２部材２０２、第３部材２０３からなる。
【０００８】
従来技術においては、硬度の異なる三つの部材が単に同一面上に付着されるため、荷重の分散や足裏の圧力分布を均一にするという目的を充分に達成することができないという問題点があった。
【先行技術文献】
【特許文献】
【０００９】
【特許文献１】大韓民国公開特許第２００９−０１１３４７３号明細書
【発明の概要】
【発明が解決しようとする課題】
【００１０】
本発明は、メインミッドソールを単純平面ではなくてスロープ部と第１延長片及び第２延長片で構成し、下部ミッドソールは第２延長片及びスロープ部の下面に位置し、上部ミッドソールは第１延長片及びスロープ部の上面に結合することで、内向側あるいは外向側に傾いて歩く足つきを効果的に改善することができる履物の靴底を提供しようとする。
【課題を解決するための手段】
【００１１】
前述したような課題達成のための本発明の履物の靴底は、アウトソール；傾いたスロープ部の下端に連結される第１延長片と前記スロープ部の上端に連結される第２延長片が備えられ、前記アウトソールの上面の内向側または外向側のいずれか一方の縁部から前記第１延長片が結合されるメインミッドソール；前記スロープ部及び前記第２延長片の底面と前記アウトソールの上面との間に設置される下部ミッドソール；及び前記スロープ部及び前記第１延長片の上面に結合される上部ミッドソール；を含むことを特徴とする。
【００１２】
そして、本発明において、前記メインミッドソールは、その内部に前記メインミッドソール形状のシャンクが備えられることを特徴とする。
【００１３】
そして、本発明において、前記メインミッドソールは、前記下部ミッドソール及び上部ミッドソールより硬度が高いものであることを特徴とする。
【００１４】
そして、本発明において、前記下部ミッドソールと上部ミッドソールは、硬度が互いに異なることを特徴とする。
【００１５】
そして、本発明において、前記シャンクは、後足部から中足部まで形成されることを特徴とする。
【発明の効果】
【００１６】
本発明による履物の靴底は、独特の構造によって、内向側または外向側に傾いて歩行するとき、荷重が集中することを抑制して正しい歩行を誘導することができるという効果がある。
【図面の簡単な説明】
【００１７】
【図１】従来技術の斜視図である。
【図２】本発明の第１実施例による履物の靴底の平面図である。
【図３】図２の要部の断面図である。
【発明を実施するための形態】
【００１８】
以下、添付図面に基づき、本発明が属する技術分野で通常の知識を持った者が容易に実施することができるように、本発明の実施例を詳細に説明する。しかし、本発明はいろいろの異なる形態に具現することができ、ここに説明する実施例に限定されない。そして、図面には、本発明を明確に説明するために、説明とは関係ない部分は省略し、明細書全般にわたって類似の部分に対しては類似の図面符号を付けた。
【００１９】
明細書全般にわたり、ある部分がある構成要素を“含む”というとき、これは特に反対の記載がない限り、他の構成要素を除外するものではなく、他の構成要素をさらに含むことができることを意味する。
【００２０】
本発明による履物の靴底は、アウトソール、メインミッドソール、下部ミッドソール及び上部ミッドソールを含むもので、メインミッドソールは、一定傾斜角度をなすスロープ部、前記スロープ部の下端に連結される第１延長片、及び前記スロープ部の上端に連結される第２延長片でなり、第１延長片は、アウトソールの上面に直接結合され、第２延長片とスロープ部はアウトソールの上面から離隔している。
【００２１】
前記メインミッドソールのスロープ部及び第２延長片の下面とアウトソールの上面との間の離隔空間に下部ミッドソールが結合され、スロープ部及び第１延長片の上面には上部ミッドソールが結合される構造をなす。
【００２２】
アウトソールの上面にメインミッドソールが結合されるとき、第１延長片はアウトソールの内向側あるいは外向側から結合されることができ、メインミッドソールは下部ミッドソールまたは上部ミッドソールより硬質の高硬度を持つものにする。したがって、アウトソールの上面から離隔する第２延長片及びスロープ部によって荷重が作用するとき、第２延長片においては、第１延長片より上方に発生する反発力が向上する特性を示す。
【００２３】
このような特性により、内向側や外向側に傾いて歩く足つきを正しくて効果的に改善することができ、正しい歩行を誘導することができるようになる。
【００２４】
より具体的な好適な一実施例について説明すれば、図２は第１実施例による履物の靴底の平面図、図３は図２の主部の断面図を示すものである。
【００２５】
図示のように、通常のアウトソール１０が備えられ、アウトソール１０の上側メインミッドソール２０、下部ミッドソール３０及び上部ミッドソール４０が配置される。前記メインミッドソール２０は、細分してスロープ部２０ａ、第１延長片２０ｂ及び第２延長片２０ｃでなり、スロープ部２０ａの下端に第１延長片２０ｂが連結され、前記スロープ部２０ａの上端に第２延長片２０ｃが平板状に連結される。
【００２６】
すなわち、第１延長片２０ｂ及び第２延長片２０ｃはスロープ部２０ａの左右両端部から形成され、第１延長片２０ｂより第２延長片２０ｃが高い位置にあるようになる。そして、前記メインミッドソール２０はアウトソール１０の上面に結合され、特に前記第１延長片２０ｂの下面がアウトソール１０の上面と接触して結合されるものにする。第２延長片２０ｃとスロープ部２０ａの底面はアウトソール１０の上面から距離を置き、離隔空間に下部ミッドソール３０が設置される。
【００２７】
そして、本発明の実施例において、アウトソール１０の上面内向側から前記第１延長片２０ｂが結合されるものにするが、前記第１延長片２０ｂがアウトソール１０の上面の外向側から結合される形態としても提供できる。アウトソール１０の上面の内向側あるいは外向側のいずれか一方にメインミッドソール２０の第１延長片２０ｂが結合されるか否かは選択の問題であり、使用者の歩行習慣を考慮しても二つの形態として提供可能なものである。
【００２８】
言い替えれば、歩行の際に外向側に傾く外転型足つきを持つ人にとっては、第１延長片２０ｂがアウトソール１０の上面内向側に結合されることが適合し、反対に内転型足つき（通常、Ｏ脚ともいう）の場合は、第１延長片２０ｂがアウトソール１０の上面外向側に結合される履物の靴底が適合する。
【００２９】
本発明の実施例において、前記メインミッドソール１０は、第１延長片２０ｂのみアウトソール１０の上面に固定され、スロープ部２０ａと第２延長片２０ｃはアウトソール１０の上面から離隔して一種の片持ち梁となり、第１延長片２０ｂは固定端となり、第２延長片２０ｃは自由端となるものである。
【００３０】
一方、本発明による履物の靴底を構成するにあたり、より好ましくは前記メインミッドソール２０の内部にはシャンク５０が取り付けられ、前記シャンク５０の形状はメインミッドソール２０の形状に似るように横になったＳ字形のものにする。シャンク５０は金属材や合成樹脂材から製作され、メインミッドソール２０の内部に内蔵されてメインミッドソール２０の骨格をなし、第２延長片２０ｃの弾性復元力を高めるようになる。
【００３１】
メインミッドソール２０のスロープ部２０ａの底面及び第２延長片２０ｃの底面とアウトソール１０の上面のとの間には空間になり、この空間に下部ミッドソール３０が設置される。図示のように、下部ミッドソール３０はアウトソール１０の上面外向側に結合され、スロープ部２０ａの底面と触れ合う内端部は傾斜面となる。下部ミッドソール３０はアウトソール１０と第２延長片２０ｃ及びスロープ部２０ａとの間で上部から第２延長片２０ｃとスロープ部２０ａを通じて伝わる荷重を支持するようになる。
【００３２】
そして、前記スロープ部２０ａ及び第１延長片２０ｂの上面には上部ミッドソール４０が結合される。スロープ部２０ａの上面と接触する上部ミッドソールの内端部は傾斜面となる。
【００３３】
本発明の好適な実施例による履物の靴底において、前記メインミッドソール２０と下部ミッドソール３０及び上部ミッドソール４０はそれぞれ硬度の異なるように構成することができ、メインミッドソール２０の硬度が最も高くすることが好ましい。そして、下部ミッドソール３０と上部ミッドソール４０は硬度を同じにしても異にしてもよい。
【００３４】
本実施例の場合、メインミッドソール２０の硬度を最高にし、その次に下部ミッドソール３０の硬度が高く、上部ミッドソール４０の硬度を最低にする。したがって、上部から荷重が作用する場合、ソフトな上部ミッドソール４０が一番多く圧縮されて外向側よりは内向側に傾くので、外転型歩行を行う人々が着用すれば誤った歩行習慣を修正することができるようになる。好ましくは、前記下部ミッドソール３０は反発特性に優れた材質を使い、上部ミッドソール４０は衝撃吸収に優れた材質を使うことが好ましい。
【００３５】
そして、前記シャンク５０の場合、より好ましくは、メインミッドソール２０の全体ではなくて、足を基準とするとき、後足部から中足部まで形成されるものにする。足は大別して後足部、中足部、前足部に分けることができ、概して中足骨から足指までを前足部という。歩行において、跳躍を行うときには、足指の部位が折られるため、履物の靴底も前足部の部位が易しく折られなければならないので、前記シャンク５０は後足部から中足部までに備えられるものにする。
【００３６】
以上説明したような本発明による履物の靴底は、正常歩行の範疇から脱した外転型あるいは内転型の足つきを持つ人々の足つき修正用履物の靴底として提供可能であり、その外に正常歩行を行う人々の場合にも、メインミッドソール、下部ミッドソール、上部ミッドソール及びシャンクの硬度や材質を異にすることにより、正しい歩行を維持するのに役立つ履物用靴底として提供可能である。
【００３７】
前述した本発明の説明は例示のためのもので、本発明が属する技術分野の通常の知識を持った者は本発明の技術的思想や必須な特徴を変更しなくても他の具体的な形態に易しく変形することができるというのを理解することが可能であろう。
【００３８】
したがって、以上に記述した実施例はすべての面で例示的なもので、限定的なものではないことを理解しなければならない。例えば、単一型に説明した各構成要素は分散して実施することもでき、同様に分散された形態に説明した構成要素も結合形態に実施することができる。
【００３９】
本発明の範囲は前記詳細な説明よりは後述する特許請求範囲によって決められ、特許請求範囲の意味及び範囲、そしてその均等の概念から導出されるすべての変更または変形の形態は本発明の範囲に含まれるものに解釈されなければならない。
【産業上の利用可能性】
【００４０】
本発明の履物の靴底は足つき修正履物の靴底として提供されることができる。
【図１】
2013529535.tif 000003
【図２】
2013529535.tif 000004
【図３】
2013529535.tif 000005
【国際調査報告】
2013529535.tif 000006
2013529535.tif 000007
2013529535.tif 000008
2013529535.tif 000009